(57)【要約】【課題】複数の被服を展示するにあたり、未包装でかつ畳んだ状態の被服を効率よく展示できる技術を提供する。【解決手段】行方向及び列方向に複数の区画に区切られた棚部と、前記棚部の開口を覆う扉部を有する被服の展示器具を用い、前記扉部によって形成された展示壁面に、未包装でかつ畳んだ状態の複数のシャツ（被服）３０を展示・陳列する。扉部を構成する扉８の表面に設けられた突出片５を、シャツ３０の外襟部の隙間４３に挿入し、シャツ３０を扉８の表面に保持する。【選択図】図１１
2013230231.tif 000002
【特許請求の範囲】
【請求項１】
展示器具を使用して複数の被服を展示する被服の展示方法であって、
前記被服は、使用者の首の部位を取り巻くと共に被服の本体部分から外側に折り返された外襟部を有するものであり、
前記展示器具は、略垂直に立設された展示壁面と、当該展示壁面に一定の間隔をあけて設けられた複数の突出片を有し、
前記被服は、その袖部分及び裾部分が背面側に畳まれており、
前記被服の襟首部分であって、前記外襟部と前記本体部分との間に前記突出片を挿入して被服を保持することを特徴とする被服の展示方法。
【請求項２】
前記展示器具は、行方向及び列方向に複数の区画に区切られた棚部と、前記棚部の開口を覆う扉部を有し、
前記扉部によって前記展示壁面が形成され、
前記扉部の表面に前記突出片が設けられていることを特徴とする請求項１に記載の被服の展示方法。
【請求項３】
前記外襟部と前記本体部分との間には補強用のシート材が装着されており、被服の保持時において、前記突出片が前記シート材を介して外襟部を支持することを特徴とする請求項１又は２に記載の被服の展示方法。
【請求項４】
前記シート材は、被服の本体部分を補強する本体補強部と、前記外襟部と前記本体部分との間に挿入されて前記外襟部を補強する外襟補強部とを有し、本体補強部と外襟補強部との境界部分には突出片挿入口が設けられており、当該突出片挿入口を介して、前記外襟部と前記本体部分との間に前記突出片を挿入することを特徴とする請求項３に記載の被服の展示方法。
【請求項５】
前記被服は、シャツであることを特徴とする請求項１〜４のいずれかに記載の被服の展示方法。
【請求項６】
複数の被服を展示する被服の展示器具であって、
前記被服は、使用者の首の部位を取り巻くと共に被服の本体部分から外側に折り返された外襟部を有するものであり、
行方向及び列方向に複数の区画に区切られた棚部と、前記棚部の開口を覆う扉部を有し、
前記扉部の表面に突出片が設けられ、
前記被服の襟首部分であって、前記外襟部と前記本体部分との間に前記突出片を挿入して被服を保持することが可能であることを特徴とする被服の展示器具。
【発明の詳細な説明】
【技術分野】
【０００１】
本発明は、被服の展示方法、及び被服の展示器具に関する。本発明は、複数の被服を並べて展示するのに有用である。
【背景技術】
【０００２】
複数の被服を並べて展示（陳列）するための用具等が、種々開発されている。一般に、畳んだ状態の被服を複数展示する場合、テーブル等の水平面上に寝かして並べると、大きな床面積が必要となる。そこで、限られたスペースに多くの被服を展示したい場合には、畳んだ状態の被服を鉛直方向に立てた姿勢（立ち姿勢）とし、適宜の垂直面上に並べる方策が好ましい。また、顧客が被服に直接触れられるように、被服を未包装の状態で展示したいという要望がある。
【０００３】
特許文献１には、畳んだ状態の被服をクリップ付きのハンガーを用いて吊るし、複数の被服を展示する方法が開示されている。しかし、この方法ではクリップで未包装の被服を直接挟むため、被服の生地を痛めるおそれがある。さらに、被服を挟むクリップが展示時に目立ってしまい、見栄えが悪いという問題がある。
【０００４】
特許文献２には、畳んだ状態の被服を収容して展示できる衣料陳列用箱が開示されている。この衣料陳列用箱は、畳んだ状態の被服を収容し、そのまま立ち姿勢を維持させて展示するものである。この衣料陳列用箱によれば、クリップを用いる必要がないので前記した問題は生じない。しかし、この衣料陳列用箱は、被服を箱内に単に立てて置くものであり、収容した被服を保持する手段を有さない。そのため、被服が自重に耐えられず、立ち姿勢が崩れてしまうおそれがある。また被服の下半分が前面板で覆われるので、顧客が被服を手に取りにくいと感じる可能性がある。
【０００５】
特許文献３には、複数の被服を展示可能な陳列棚が開示されている。しかし、この陳列棚は、特殊な形状の包装容器を用いて被服を展示するものであり、未包装の被服を展示するものではない。
【先行技術文献】
【特許文献】
【０００６】
【特許文献１】実用新案登録第２５３０５８６号公報
【特許文献２】登録実用新案第３０６２４６８号公報
【特許文献３】実開平５−８４２５４号公報
【発明の概要】
【発明が解決しようとする課題】
【０００７】
上記現状に鑑み、本発明は、複数の被服を展示するにあたり、未包装でかつ畳んだ状態の被服を効率よく展示できる技術を提供することを目的とする。
【課題を解決するための手段】
【０００８】
上記した課題を解決するための請求項１に記載の発明は、展示器具を使用して複数の被服を展示する被服の展示方法であって、前記被服は、使用者の首の部位を取り巻くと共に被服の本体部分から外側に折り返された外襟部を有するものであり、前記展示器具は、略垂直に立設された展示壁面と、当該展示壁面に一定の間隔をあけて設けられた複数の突出片を有し、前記被服は、その袖部分及び裾部分が背面側に畳まれており、前記被服の襟首部分であって、前記外襟部と前記本体部分との間に前記突出片を挿入して被服を保持することを特徴とする被服の展示方法である。
【０００９】
本発明は、展示器具を使用して複数の被服を展示する被服の展示方法に係るものである。本発明の被服の展示方法では、「使用者の首の部位を取り巻くと共に被服の本体部分から外側に折り返された外襟部を有する」被服であって、且つその袖部分及び裾部分が背面側に畳まれたものを展示対象とする。また本発明の被服の展示方法で使用する展示器具は、略垂直に立設された展示壁面と、当該展示壁面に一定の間隔をあけて設けられた複数の突出片を有する。そして、被服を展示する際には、被服の襟首部分であって外襟部と本体部分との間に、展示器具の突出片を挿入し、被服を保持する。
【００１０】
本発明の被服の展示方法では、展示壁面上に設けた突出片を利用して被服を保持するので、被服の立ち姿勢を安定に保つことができる。また、展示時に被服の前面を覆う必要がなく、被服へのアクセス性に優れる。さらに、被服の保持に際してクリップを用いる必要がないので、被服の生地を痛めるおそれがない。
また本発明の被服の展示方法では、展示壁面上に設けた突出片を被服の襟部分に挿入するだけの簡単な操作で被服を保持できるので、被服の設置と撤去が簡単に行える。さらに、突出片は被服の襟部分に挿入されるので、被服の展示時には突出片が被服の裏側に隠れて目立たない。
【００１１】
本発明の展示対象となる被服の例としては、ワイシャツ、ドレスシャツ等のシャツが挙げられる。
【００１２】
請求項２に記載の発明は、前記展示器具は、行方向及び列方向に複数の区画に区切られた棚部と、前記棚部の開口を覆う扉部を有し、前記扉部によって前記展示壁面が形成され、前記扉部の表面に前記突出片が設けられていることを特徴とする請求項１に記載の被服の展示方法である。
【００１３】
本発明においては、展示器具が、行方向及び列方向に複数の区画に区切られた棚部と、棚部の開口を覆う扉部を有している。そして、扉部によって展示壁面が形成され、扉部の表面に突出片が設けられている。本発明によれば、扉部の表面に複数の被服を展示可能であるとともに、棚部を利用して被服を保管することができる。
【００１４】
請求項３に記載の発明は、前記外襟部と前記本体部分との間には補強用のシート材が装着されており、被服の保持時において、前記突出片が前記シート材を介して外襟部を支持することを特徴とする請求項１又は２に記載の被服の展示方法である。
【００１５】
かかる構成により、外襟部の型崩れを高度に抑えることができ、かつ被服をより確実に保持することができる。
【００１６】
請求項３に記載の被服の展示方法において、前記シート材は、被服の本体部分を補強する本体補強部と、前記外襟部と前記本体部分との間に挿入されて前記外襟部を補強する外襟補強部とを有し、本体補強部と外襟補強部との境界部分には突出片挿入口が設けられており、当該突出片挿入口を介して、前記外襟部と前記本体部分との間に前記突出片を挿入することが推奨される（請求項４）。
【００１７】
請求項１〜４のいずれかに記載の被服の展示方法において、前記被服は、シャツであることが推奨される（請求項５）。
【００１８】
請求項６に記載の発明は、複数の被服を展示する被服の展示器具であって、前記被服は、使用者の首の部位を取り巻くと共に被服の本体部分から外側に折り返された外襟部を有するものであり、行方向及び列方向に複数の区画に区切られた棚部と、前記棚部の開口を覆う扉部を有し、前記扉部の表面に突出片が設けられ、前記被服の襟首部分であって、前記外襟部と前記本体部分との間に前記突出片を挿入して被服を保持することが可能であることを特徴とする被服の展示器具である。
【００１９】
本発明は、複数の被服を展示する被服の展示器具に係るものである。本発明の被服の展示器具は、行方向及び列方向に複数の区画に区切られた棚部と、棚部の開口を覆う扉部を有しており、当該扉部の表面に突出片が設けられている。そして、「使用者の首の部位を取り巻くと共に被服の本体部分から外側に折り返された外襟部を有する」被服の襟首部分であって、外襟部と本体部分との間に前記突出片を挿入して、当該被服を保持することが可能である。
【００２０】
本発明の被服の展示器具によれば、展示壁面上に設けた突出片を利用して被服を保持することができるので、被服の立ち姿勢を安定に保つことができる。また、展示時に被服の前面を覆う必要がなく、被服へのアクセス性に優れる。さらに、被服の保持に際してクリップを用いる必要がないので、被服の生地を痛めるおそれがない。
また本発明の被服の展示器具によれば、展示壁面上に設けた突出片を被服の襟部分に挿入するだけの簡単な操作で被服を保持できるので、被服の設置と撤去が簡単に行える。さらに、突出片は被服の襟部分に挿入されるので、被服の展示時には突出片が被服の裏側に隠れて目立たない。
【発明の効果】
【００２１】
本発明によれば、複数の被服を、未包装の状態で、効率よく展示することができる。
【図面の簡単な説明】
【００２２】
【図１】本発明の一実施形態に係る被服の展示器具と、展示された被服を表す正面図である。
【図２】図１の展示器具の外観を表す斜視図である。
【図３】図１の展示器具における棚部を表す斜視図である。
【図４】扉部の一区画である扉を表す図であり、（ａ）は正面図、（ｂ）は斜視図である。
【図５】突出片を構成する金具を表す図であり、（ａ）は拡大斜視図、（ｂ）は左側面図である。
【図６】（ａ）は図４の扉の背面図、（ｂ）は図４の扉を裏面側から見た斜視図、（ｃ）はフックの拡大斜視図である。
【図７】折り畳む前のシャツを表す正面図である。
【図８】（ａ）〜（ｆ）は図７のシャツを折り畳む手順を表す説明図である。
【図９】（ａ）は外襟部の拡大正面図、（ｂ）は（ａ）のＡ−Ａ断面図である。
【図１０】外襟部に突出片を挿入する様子を表す断面図であり、（ａ）は挿入前の状態、（ｂ）は挿入後の状態を表す。
【図１１】（ａ）は外襟部に突出片を挿入する様子を正面側から見た斜視図、（ｂ）は（ａ）の状態を背面側から見た要部拡大斜視図、（ｃ）は突出片を挿入した後のシャツと扉を表す側面図である。
【図１２】（ａ）は棚の正面図、（ｂ）は（ａ）の棚の斜視図である。
【図１３】扉の開閉の様子を示す説明図であり、（ａ）は扉を閉じた状態、（ｂ）は扉を開けた状態、（ｃ）は扉を奥に押し込んだ状態を表す。
【図１４】本発明の他の実施形態に係る被服の展示器具を表す斜視図である。
【図１５】本発明のさらに他の実施形態に係る被服の展示器具を表す正面図である。
【図１６】補強用の台紙を表す正面図である。
【図１７】図１６の台紙が装着されたシャツに突出片を挿入する様子を表す斜視図である。
【図１８】図１６の台紙が装着されたシャツに突出片を挿入する様子を表す断面図であり、（ａ）は挿入前の状態、（ｂ）は挿入後の状態を表す。
【発明を実施するための形態】
【００２３】
以下、本発明の実施形態について図面を参照しながら説明する。なお、発明の理解を容易にするために、各図面において、各部材の大きさや厚みについては一部誇張して描かれており、実際の大きさや比率等とは必ずしも一致しないことがある。さらに、本発明が以下の実施形態に限定されないことは当然である。
【００２４】
図１〜３に示す本発明の一実施形態に係る被服の展示器具１は、被服を展示する機能と収容（保管）する機能の両方を備えたキャビネット様の器具である。展示器具１は、被服を収容する機能を有する棚部２と、被服を展示する機能を有すると共に棚部２の開口を覆う扉部３を有する。展示器具１は、水平な床面に設置されている。また展示器具１は、基本的に、木質材料からなる厚み２０ｍｍ程度の板材を用いて作製されている。
【００２５】
図３に示すように、棚部２は、複数の区画に区切られており、１つの区画が１つの棚７を構成している。詳細には、棚部２は、上下方向（鉛直方向、列方向）に３列かつ左右方向（水平方向、行方向）に３行の格子状に区切られており、計９個の棚７から構成されている。
【００２６】
図２に示すように、棚部２を構成する棚７には、それぞれ、その開口を覆う扉８が設けられている。そして、これら複数の扉８が集合して扉部３を構成している。換言すれば、棚部２と同様に、扉部３は、上下方向に３列かつ左右方向に３行の格子状に区切られており、計９個の扉８から構成されている。
扉部３は、全体として略垂直に立設した壁面を成しており、複数の被服を展示するための展示壁面として機能する。そして、図１に示すように、扉部３においては、１つの扉８に１つの被服（シャツ３０）が展示可能な構成とされている。
【００２７】
図２に示すように、扉部（展示壁面）３には、複数の突出片５が設けられている。突出片５は、１つの扉８に１つ設けられている。結果として、複数の突出片５は、扉部（展示壁面）３の上に一定の間隔をあけて配置されている。突出片５の詳細については後述する。
【００２８】
本実施形態では、被服としてシャツ３０が展示されている。すなわち、図１に示すように、展示器具１においては、１つの扉８に対して１つのシャツ３０が保持され、計９個のシャツ３０が展示されている。
【００２９】
続いて、棚部２と扉部（展示壁面）３における一区画、すなわち棚７と扉８に着目して順次説明する。
【００３０】
扉部３の一区画である扉８は、木質材料からなる板状の部材である。図４に示すように、扉８は、扉本体１０と張り出し部１１を有する。
扉本体１０は板状であり、正面視が長方形状である。扉本体１０は、棚７の開口全体を覆うものである。扉本体１０の表面１２は、被服の展示面として機能する。扉８を閉じた状態において、扉本体１０の姿勢は、床面に対して略垂直（略鉛直）か、上から下に向かうにつれて手前側に僅かに近づく傾斜を成している。
一方、張り出し部１１は板状であり、扉本体１０の正面視における下辺（下側端部）の全長にわたって設けられ、扉本体１０から手前側に張り出している。扉本体１０と張り出し部１１とは、略直角の角度を成している。
【００３１】
扉本体１０の表面１２のサイズは、折り畳んだシャツ３０がちょうど収まる程度、例えば縦４００〜５００ｍｍ程度、横２５０〜３５０ｍｍ程度である。張り出し部１１の張り出し長さは、折り畳んだシャツ３０の厚みより少し大きい程度、例えば３０ｍｍ〜６０ｍｍ程度である。
【００３２】
扉本体１０の表面１２には、図５に示す断面Ｌ字状の金具１５が取り付けられている。そして、金具１５の一部が突出片５を構成している。金具１５は、扉本体１０に固定される固定部１６と、固定部１６と略直角の角度を成す突出部１７からなる。そして、突出部１７が前記した突出片５を構成している。金具１５は、長方形状の薄い金属製板材を略直角に折り曲げて作製されている。
【００３３】
金具１５の厚みは０．５ｍｍ〜１．２ｍｍ程度である。金具１５の幅ａ（すなわち、突出部１７における突出方向に直交する方向の長さ）は２０ｍｍ〜５０ｍｍ程度である。突出部１７の突出方向の長さｂは３０ｍｍ〜５０ｍｍ程度である。固定部１６における突出部１７に直交する方向の長さｃは５０ｍｍ〜１００ｍｍ程度である。特に、長さａと長さｂについては、突出部１７（突出片５）を利用してシャツ３０を保持する際に適したサイズが採用されている。シャツ３０の保持方法については後述する。
【００３４】
金具１５においては、固定部１６が木ねじ等の締結手段（図示省略）によって扉本体１０の表面１２に固定されている。その結果、突出部１７（突出片５）は表面１２に対して略垂直に立っている。
固定された金具１５の姿勢は、図４に示すように、固定部１６が金具１５の折り曲げ位置より下側となる姿勢となっている。そのため、突出部１７は水平に突出している。換言すれば、突出部１７は、扉本体１０の上辺及び下辺に対して平行であり、左辺及び右辺に対して垂直である。また扉本体１０の正面視において、固定部１６は突出部１７の下側に位置する。
扉本体１０の表面１２における金具１５の位置は、図４に示すように、表面１２の左右方向における略中央であって、上下方向においては、扉本体１０の上辺から上下方向全長の１５％〜２０％に相当する長さだけ下側の位置である。この位置は、シャツ３０の展示時において、その外襟部３２に突出部１７（突出片５）が重なる位置である。
【００３５】
図６（ａ），（ｂ）に示すように、扉本体１０の裏面２１には、左右一対のフック１８が設けられている。フック１８は、扉本体１０の両側面近傍であって、上下方向においては中央より上の位置に、左右対称に設けられている。図６（ｃ）に示すように、フック１８は鉤状であり、断面Ｃ字状の係合部２２と、裏面２１に固定される固定部２３を有する。係合部２２は、後述する棚７の両側壁に設けられたピン５３に係合する部分であり、下側（床側）に向かって開口している。扉８は、フック１８の係合部２２を支点として、前後に揺動可能である。なお、扉８の開閉動作については、棚７の構成とともに後に詳述する。フック１８の固定部２３は、木ねじ等の締結手段（図示省略）よって扉本体１０の裏面２１に固定されている。
また扉本体の１０の裏面２１には、緩衝部材２５が設けられている。緩衝部材２５は、扉本体１０の裏面２１の下側端部近傍であって、左右方向における略中央の位置に設けられている。緩衝部材２５は、扉８の開閉時に棚７との衝突を和らげるものである。緩衝部材２５は、例えば樹脂製のブロック体からなる。
【００３６】
ここで、本実施形態における展示対象のシャツ（被服）３０について、その折り畳み方および外襟部の構造を中心に説明する。
本実施形態において展示されるシャツ（被服）３０は、図７に示すように、本体部分３１と外襟部３２を有する。ここで本体部分３１は、シャツ３０の外襟部３２と両袖部分３５を除いた部分である。外襟部３２は、シャツ３０における使用者の首の部分を取り巻く部分である。外襟部３２は、本体部分３１から外側に折り返されることにより形成されている。
【００３７】
展示時のシャツ３０は、その裾部分３３と袖部分３５が背面３７側に畳まれている。具体的な折り畳み方法は、本技術分野においてシャツを包装する際に通常行われている方法を、そのまま採用することができる。シャツ３０を折り畳む手順の一例を図８（ａ）〜（ｆ）に示す。
まず、シャツ３０のボタンを全て留めて裏返し、背面３７が見える状態に置く（図８（ａ））。次に、シャツ３０の中心軸の左側であって肩幅の４分の１程度の位置（線Ａ）で、シャツを折り返す（図８（ａ）〜（ｂ））。次に、左側の袖部分３５を中心軸と平行になるように、線Ｂで折り曲げる（図８（ｂ）〜（ｃ））。右側の袖部分３５についても同様に、線Ａ’と線Ｂ’で折り曲げる（図８（ｃ）〜（ｅ））。次に、裾部分３３から少し上の水平線Ｃで折り返し、さらに全体を略二等分するように上下方向の略中央の水平線Ｄで折る（図８（ｆ））。これにより、本実施形態で展示される、畳まれたシャツ３０が完成する。このようにシャツ３０を折り畳むと、外襟部３２の襟首部分３８が、本体部分３１に対して略垂直に立つ。
【００３８】
ここで外襟部３２の襟首部分３８（図９（ａ））に注目すると、その断面構造は図９（ｂ）のようになる。すなわち、襟首部分３８は、本体部分３１に繋がる立ち上がり部４０と、立ち上がり部４０に繋がり略１８０度折り返された折り返し部４１と、折り返し部４１に繋がり背面３７側に延びる奥襟部４２で構成される。そして、立ち上がり部４０と奥襟部４２との間に、隙間４３が形成されている。立ち上がり部４０と奥襟部４２は、隙間４３を挟んで対向する位置関係となる。また、立ち上がり部４０と奥襟部４２は、互いに略平行の位置関係となる。また、奥襟部４２の背面３７側の末端は、本体部分３１と立ち上がり部４０との境界線と略同じ位置まで延びている。立ち上がり部４０と奥襟部４２の
高さｈ（図９（ｂ））は、４０ｍｍ程度である。
【００３９】
次に、シャツ３０を扉８に保持する方法について説明する。本実施形態においてシャツ３０を扉８に保持する際には、図１０に示すように、突出片５を襟首部分３８の隙間４３に挿入する。詳細には、図１１（ａ）に示すように、畳まれたシャツ３０を立ち姿勢に保ちながら、扉８の正面側から近づける。そして、図１１（ｂ）に示すように、扉８の表面１２に設けられた突出片５を、襟首部分３８の隙間４３に挿入する。これにより、突出片５が奥襟部４２を支持する形となり、シャツ３０全体が扉８の表面１２上で立ち姿勢に保持される（図１１（ｃ））。なおシャツ３０の外襟部３２は芯を有しており、比較的硬いので、シャツ３０は容易に保持される。なお、畳んだシャツ３０の下側端部は、図１１（ｃ）に示すように、張り出し部１１の上面に少し触れているか、上面から少し浮いている状態である。すなわち、シャツ３０は基本的に突出片５のみで保持されており、張り出し部１１の上に乗って保持されているわけではない。なお、図１１（ｂ）では扉８の図示を省略している。
【００４０】
本実施形態では、シャツ３０を扉８の表面１２上に展示する際に、突出片５を外襟部３２の隙間４３に挿入して保持する構成を採用しているので、シャツ３０の立ち姿勢を安定に保つことができる。また、シャツ３０をクリップ等で挟む必要がないので、シャツ３０の生地を痛めるおそれがない。
【００４１】
さらに本実施形態では、突出片５を隙間４３に挿入するだけの簡単な構成を採用しているので、シャツ３０の設置と撤去をきわめて簡単に行える。またさらに、シャツ３０を保持した状態では、突出片５がシャツ３０の後ろに隠れるので、展示時の見栄えがよい。特に本実施形態では、金具１５の取り付け方向（姿勢）について、固定部１６が金具１５の折り曲げ位置より下側となる方向に取り付けられているから、固定部１６がシャツ３０の後ろに隠れることとなり、金具１５がシャツ３０によって完全に隠される。
【００４２】
展示器具１の説明に戻り、棚部２の一区画である棚７の構成について説明する。棚７は、図１２（ａ），（ｂ）に示すようなボックス状の収容庫であり、底面部５０、右側面部５１、左側面部５２、天面部５５、及び奥壁部５６を有する。棚７の奥行きの長さは、扉８の縦方向の長さと同程度である。棚７における左右方向の内寸（右側面部５１から左側面部５２までの長さ）と上下方向の内寸（底面部５０から天面部５５までの長さ）は、扉８のサイズより一回り小さい。
【００４３】
底面部５０は被服の載置面として機能する。例えば、底面部５０には、包装されたシャツ３０が積み重ねられる。
右側面部５１と左側面部５２には、円筒状のピン５３が１個ずつ設けられている。ピン５３は、側面部５１，５２に対して略垂直に立設され、棚７の庫内に向かって延びている。ピン５３の取り付け位置は、図１２（ａ）に示すように、棚７の正面視においては、中央より上側であって、かつ左右対称の位置である。詳細には、上下方向については、棚７の全長を１００とした場合の、上から１５％〜３０％程度の位置である。すなわち、ピン５３と天面部５５との間には、ある程度の空間がある。また図１２（ｂ）に示すように、ピン５３の取り付け位置は、前後方向（奥行き方向）については、棚７の開口５８の近傍の位置である。
ピン５３の突出長さは、棚７の左右方向の全長を１００とした場合の、５％〜１５％程度である。
【００４４】
続いて、棚７と扉８の取り付け構造と、扉８の開閉操作について説明する。
図１３（ａ）に示すように、シャツ３０の展示時において、扉８は閉じられており、棚７の開口５８を覆っている。また、棚７の底面部５０には、複数の包装済みのシャツ３０が、外襟部３２を開口５８側に向けて、重ねて置かれている。
この状態において、扉８の裏面２１に設けられた一対のフック１８が、それぞれ棚７の側面部５１，５２に設けられた一対のピン５３に係合している。詳細には、フック１８の係合部２２がピン５３に係合しており、これにより、扉８がピン５３によって揺動可能に支持されている。なおこの状態では、扉８の裏面２１に設けられた緩衝部材２５が棚７の下部に当接しているので、扉８は鉛直方向から僅かに傾斜している。
扉８を開ける際には、扉８の張り出し部１１を持って手前に引く。そうすると、扉８はフック１８の係合部２２を支点として、手前側に回動する。図１３（ｂ）に示すように、そのまま扉８を水平姿勢になるまで手前に引き、その後、図１３（ｃ）に示すように、扉８を棚７の奥側へ押し込む。この際、フック１８の係合部２２は開口しているので、ピン５３から容易に外れる。図１３（ｃ）に示す状態において、ピン５３と天面部５５との間にはある程度の空間があるから、扉８に保持されたシャツ３０は当該空間にうまく収まる。したがって、扉８の開閉に際して、表面１２に保持されたシャツ３０を取り外す必要はない。
【００４５】
なお、本実施形態では左右一対のピン５３を採用しているが、ピン５３に代えて、右側面部５１から左側面部５２に亘る１本の棒を用いてもよい。
【００４６】
上記した実施形態では、棚部２と扉部３が、上下方向３列かつ左右方向３列に区切られている。しかし、本発明はこれに限定されるものではなく、上下方向（列方向）と左右方向（行方向）に複数の区画に区切られている限り、行数と列数に制限はない。
さらに、棚部２の区画数と扉部３の区画数とは、必ずしも一致していなくてもよい。例えば、隣接する２つ以上の棚７に対して、１つの扉８が対応する構成としてもよい。
【００４７】
上記した実施形態では、１つの扉８に対して１つの突出片５が設けられているが、１つの扉８に複数の突出片５を設けてもよい。図１４に示す被服の展示器具６１では、扉部（展示壁面）６３が３行×２列に区切られ、計６個の扉６８によって構成されている。そして、１つの扉６８に２つの突出片５が設けられている。この実施形態によれば、１つの扉６８に２つの被服を展示することができる。この場合において、扉６８の背面側にある棚は、突出片５の位置に従って左右に区切られていてもよいし、１つの空間であってもよい。
【００４８】
上記した実施形態では、棚部と扉部を有する展示器具１，６１を示したが、これらを有さない実施形態も可能である。図１５に示す被服の展示器具７１は、略垂直に立設された展示壁面７３と、展示壁面７３上に一定の間隔をあけて設けられた複数の突出片５を備えている。突出片５の構成は、上記した実施形態のものと同じである。展示器具７１は被服の展示機能に特化したものであり、棚部や扉部に相当する部材を備えていない。
【００４９】
上記した実施形態では、突出片５を構成する部材として断面Ｌ字状の金具１５を採用しているが、本発明はこれに限定されるものではない。被服の襟首部分であって、外襟部と本体部分との間に挿入できるものであれば、他の形状や材料からなる部材をもって突出片を構成してもよい。
【００５０】
次に、シャツ３０に関係する他の実施形態について説明する。
一般に、折り畳まれかつ包装されたシャツには、型崩れを防止するために、補強用の台紙が装着されていることが多い。本発明は、補強用の台紙が装着されたシャツに対しても適用することができる。
【００５１】
図１６に示す台紙（シート材）４５は、畳んだシャツ３０の本体部分３１と外襟部３２を補強し、型崩れを防止するためのものである。台紙４５は左右対称の形状であり、本体補強部４６と外襟補強部４７を有する。台紙４５は厚紙で作製されている。
本体補強部４６は本体部分３１を補強するための部位であり、折り畳んだシャツ３０の背面３７側に挿入される。一方、外襟補強部４７は外襟部３２を補強するための部位であり、隙間４３に挿入される。外襟補強部４７の長手方向の長さは、外襟部３２の全周よりも短い。
また、本体補強部４６と外襟補強部４７との境界部分（境界線Ｘ上）には、突出片挿入口４８が設けられている。突出片挿入口４８は、スリット又は切り込みによって構成されている。
【００５２】
畳んだシャツ３０に台紙４５を装着する際には、まず、境界線Ｘにて、本体補強部４６に対して外襟補強部４７を略直角に折り曲げる。そして、本体補強部４６をシャツ３０の背面３７側に、外襟補強部４７を隙間４３に挿入する。このとき、図１７に示すように、突出片挿入口４８が本体補強部４６と外襟補強部４７の折り目上に位置することとなり、突出片挿入口４８と隙間４３がちょうど重なる。すなわち、突出片挿入口４８から隙間４３が見える位置関係となる。
また、外襟補強部４７は左右対称であり且つその長手方向の長さは外襟部３２の全周よりも短いから、外襟補強部４７は外襟部３２の襟首部分３８に位置する。
【００５３】
台紙４５が装着されたシャツ３０を扉８に保持する場合には、図１７、図１８に示すように、突出片挿入口４８を介して突出片５を隙間４３に挿入する。このとき、外襟補強部４７と立ち上がり部４０との間に突出片５が挿入され、突出片５と奥襟部４２とが外襟補強部４７を挟む形となる。その結果、突出片５が外襟補強部４７を介して外襟部３２を支持することとなる。本実施形態によれば、外襟部３２の型崩れを高度に防止しつつ、シャツ３０をより確実に保持することができる。
【００５４】
上記した実施形態では、展示する被服としてシャツ３０を例示したが、本発明においては、本体部分３１から外側に折り返された外襟部３２を有する被服であれば、シャツ以外の被服も展示対象となる。
【符号の説明】
【００５５】
１  被服の展示器具
２  棚部
３  扉部（展示壁面）
７  棚
８  扉
５  突出片
１７  突出部
３０  シャツ（被服）
３１  本体部分
３２  外襟部
３３  裾部分
３５  袖部分
３７  背面
３８  襟首部分
４３  隙間
４５  台紙（シート材）
４６  本体補強部
４７  外襟補強部
４８  突出片挿入口
６１  被服の展示器具
６３  扉部（展示壁面）
６８  扉
７１  被服の展示器具
７３  展示壁面
【図１】
2013230231.tif 000003
【図２】
2013230231.tif 000004
【図３】
2013230231.tif 000005
【図４】
2013230231.tif 000006
【図５】
2013230231.tif 000007
【図６】
2013230231.tif 000008
【図７】
2013230231.tif 000009
【図８】
2013230231.tif 000010
【図９】
2013230231.tif 000011
【図１０】
2013230231.tif 000012
【図１１】
2013230231.tif 000013
【図１２】
2013230231.tif 000014
【図１３】
2013230231.tif 000015
【図１４】
2013230231.tif 000016
【図１５】
2013230231.tif 000017
【図１６】
2013230231.tif 000018
【図１７】
2013230231.tif 000019
【図１８】
2013230231.tif 000020